(57)【特許請求の範囲】
【請求項１】
液体を吸収する吸収体と、
前記吸収体の膣口と当接する領域の横方向外側に設けられたウイング部と、
前記吸収体の前記膣口と当接する領域よりも縦方向後側の領域の前記横方向外側に設けられたヒップフラップ部と、
前記吸収体を使用者の非肌側から覆うバックシートと、
を備える吸収性物品であって、
前記吸収体は、
前記縦方向に沿って形成される１対の第１ヒンジ部と、
前記１対の第１ヒンジ部よりも前記横方向の外側に、前記横方向の成分を含んでそれぞれ形成される１対の第２ヒンジ部と、
前記１対の第１ヒンジ部よりも前記横方向の外側に、前記縦方向の成分を含んでそれぞれ形成される１対の第３ヒンジ部と、
を有し、
前記第１ヒンジ部の少なくとも一部と、前記第２ヒンジ部と、前記第３ヒンジ部とが、前記吸収体の前記縦方向において、前記ウイング部の前記横方向の幅が最大となる位置と前記ヒップフラップ部の前記横方向の幅が最大となる位置との間に配置されており、
前記バックシートの前記非肌側の表面には接着剤が塗布された粘着領域が形成されており、
一対の前記第３ヒンジ部の、前記縦方向の一対の前端の前記横方向の中央は、前記粘着領域内に位置する、ことを特徴とする吸収性物品。
【請求項２】
液体を吸収する吸収体と、
前記吸収体の膣口と当接する領域の横方向外側に設けられたウイング部と、
前記吸収体の前記膣口と当接する領域よりも縦方向後側の領域の前記横方向外側に設けられたヒップフラップ部と、
前記吸収体を使用者の非肌側から覆うバックシートと、
を備える吸収性物品であって、
前記吸収体は、
前記縦方向に沿って形成される１対の第１ヒンジ部と、
前記１対の第１ヒンジ部よりも前記横方向外側に、前記横方向の成分を含んでそれぞれ形成される１対の第２ヒンジ部と、
前記１対の第１ヒンジ部よりも前記横方向外側、かつ、前記第２ヒンジ部とは前記縦方向の異なる位置に、前記横方向の成分を含んでそれぞれ形成される１対の第３ヒンジ部と、
を有し、
前記第１ヒンジ部の少なくとも一部と、前記第２ヒンジ部と、前記第３ヒンジ部とが、前記吸収体の前記縦方向において、前記ウイング部の前記横方向の幅が最大となる位置と前記ヒップフラップ部の前記横方向の幅が最大となる位置との間に配置されており、
前記バックシートの前記非肌側の表面には接着剤が塗布された粘着領域が形成されており、
一対の前記第３ヒンジ部の、前記縦方向の一対の前端の前記横方向の中央は、前記粘着領域内に位置する、ことを特徴とする吸収性物品。
【請求項３】
請求項１または２に記載の吸収性物品であって、
前記第１ヒンジ部の前記縦方向後側には、前記縦方向に沿って中央ヒンジ部が形成されており、
前記第１ヒンジ部と、前記第２ヒンジ部と、前記第３ヒンジ部とで囲まれた内側の領域のうち、少なくとも一部は、前記第１ヒンジ部の前記縦方向後側端部の位置と、前記中央ヒンジ部の前記縦方向前側端部の位置との間に配置されている、ことを特徴とする吸収性物品。
【請求項４】
請求項１〜３のいずれかに記載の吸収性物品であって、
前記第１ヒンジ部と前記第２ヒンジ部とが繋がっている、ことを特徴とする吸収性物品。
【請求項５】
請求項１〜４のいずれかに記載の吸収性物品であって、
前記吸収体で、前記第１ヒンジ部の少なくとも一部と、前記第２ヒンジ部と、前記第３ヒンジ部とで囲まれた内側の領域に、平面維持部が形成されている、ことを特徴とする吸収性物品。
【請求項６】
請求項５に記載の吸収性物品であって、
前記平面維持部が、前記横方向に１対形成されており、
１対の前記平面維持部の間に挟まれる部分には、前記横方向に伸びるヒンジ部が配置されていない、ことを特徴とする吸収性物品。
【請求項７】
請求項５または６に記載の吸収性物品であって、
前記平面維持部が、前記横方向に１対形成されており、
１対の前記平面維持部の間に挟まれる部分における前記吸収体の剛性は、前記膣口と当接する領域中で１対の前記第１ヒンジ部の間に挟まれる部分における前記吸収体の剛性よりも低い、ことを特徴とする吸収性物品。
【請求項８】
請求項１〜７のいずれかに記載の吸収性物品であって、
前記吸収体は、
前記１対の第１ヒンジ部よりも前記横方向の外側に、前記横方向の成分を含んでそれぞれ形成される１対の第４ヒンジ部と、
前記１対の第１ヒンジ部よりも前記横方向の外側に、前記縦方向の成分を含んでそれぞれ形成される１対の第５ヒンジ部と、
を有し、
前記第１ヒンジ部の少なくとも一部と、前記第４ヒンジ部と、前記第５ヒンジ部とが、前記膣口と当接する領域よりも前記縦方向の前側に配置されている、ことを特徴とする
吸収性物品。
【請求項９】
請求項１〜８のいずれかに記載の吸収性物品であって、
前記第１ヒンジ部の前記縦方向の中央部の領域における前記１対の第１ヒンジ部の横方向の間隔は、
前記第１ヒンジ部の前記縦方向の端部の領域における前記１対の第１ヒンジ部の横方向の間隔よりも長い、ことを特徴とする吸収性物品。
【請求項１０】
請求項１〜９のいずれかに記載の吸収性物品であって、
前記ヒップフラップ部の前記横方向の端縁部には、１以上のくびれ部が形成されている、ことを特徴とする吸収性物品。
【請求項１１】
請求項１〜１０のいずれかに記載の吸収性物品であって、
前記第１ヒンジ部の少なくとも一部と、前記第２ヒンジ部と、前記第３ヒンジ部とによって囲まれる領域の一部が、厚さ方向について、前記粘着領域と重複する、ことを特徴とする吸収性物品。
【請求項１２】
請求項１〜１１のいずれかに記載の吸収性物品であって、
前記第３ヒンジ部は、厚さ方向について、前記粘着領域と重複しない、ことを特徴とする吸収性物品。
【発明の詳細な説明】
【技術分野】
【０００１】
本発明は、吸収性物品に関する。
【背景技術】
【０００２】
生理用ナプキン等の吸収性物品の着用時において、該吸収性物品に対して横方向（幅方向）の中央部に向かう圧縮力が作用する場合がある。このような圧縮力が作用したときに吸収体が不規則に変形して型崩れやよれが生じることにより、吸収性物品の吸収性能が十分に発揮されなくなるおそれがある。これに対して、吸収性物品の横方向外側の位置に製品縦方向に伸びる溝部（ヒンジ）を設けておき、横方向の中央部に向かう圧縮力が作用したときに当該溝部に沿って吸収体を変形させることで、型崩れ等を生じにくくする吸収性物品が開示されている（例えば特許文献１）。
【先行技術文献】
【特許文献】
【０００３】
【特許文献１】特開２０１０−１３６９７２号
【発明の概要】
【発明が解決しようとする課題】
【０００４】
特許文献１に記載された吸収性物品では、溝部に沿って吸収体を変形させることが可能である一方、溝部から外れた低剛性領域では吸収体が潰れて平面形状を維持できなくなる場合ある。そのため、吸収性物品の着用時において吸収体の良好な変形が望めなくなるおそれがある。また、低剛性領域が潰れてしまうことにより吸収性物品の横方向外縁部（例えば使用者の臀部を覆うヒップフラップ）が内側に引っ張られて使用者の身体を適切に覆うことができなくなり、使用者に不快感を与えるおそれがある。
【０００５】
本発明は、上記のような問題に鑑みてなされたものであって、その目的とするところは、使用時に吸収体の低剛性領域が平面形状に維持されやすい吸収性物品を提供することにある。
【課題を解決するための手段】
【０００６】
上記目的を達成するための主たる発明は、
液体を吸収する吸収体と、
前記吸収体の膣口と当接する領域の横方向外側に設けられたウイング部と、
前記吸収体の前記膣口と当接する領域よりも縦方向後側の領域の前記横方向外側に設けられたヒップフラップ部と、
前記吸収体を使用者の非肌側から覆うバックシートと、
を備える吸収性物品であって、
前記吸収体は、
前記縦方向に沿って形成される１対の第１ヒンジ部と、
前記１対の第１ヒンジ部よりも前記横方向の外側に、前記横方向の成分を含んでそれぞれ形成される１対の第２ヒンジ部と、
前記１対の第１ヒンジ部よりも前記横方向の外側に、前記縦方向の成分を含んでそれぞれ形成される１対の第３ヒンジ部と、
を有し、
前記第１ヒンジ部の少なくとも一部と、前記第２ヒンジ部と、前記第３ヒンジ部とが、前記吸収体の前記縦方向において、前記ウイング部の前記横方向の幅が最大となる位置と前記ヒップフラップ部の前記横方向の幅が最大となる位置との間に配置されており、
前記バックシートの前記非肌側の表面には接着剤が塗布された粘着領域が形成されており、
一対の前記第３ヒンジ部の、前記縦方向の一対の前端の前記横方向の中央は、前記粘着領域内に位置する、ことを特徴とする吸収性物品である。
本発明の他の特徴については、本明細書及び添付図面の記載により明らかにする。
【発明の効果】
【０００７】
本発明によれば、吸収性物品を使用する際に、吸収体の低剛性領域が平面形状に維持されやすくなり、使用者に不快感を与えにくくすることができる。
【図面の簡単な説明】
【０００８】
【図１】生理用ナプキン１の構成を説明する平面図である。
【図２】生理用ナプキン１の構成を説明する概略断面図である。
【図３】膣口当接領域ヒンジ部１１１を拡大して表す図である。
【図４】図４Ａ及び図４Ｂは、ナプキン１の使用時に吸収体１０に対して横方向内側に向かう圧縮力が作用したときの様子について具体的に説明する図である。
【図５】図５Ａ〜図５Ｃは、平面維持部の形状の変形例について説明する図である。
【図６】ナプキン１で孔部１２０の配置を変形した場合の例について示す図である。
【図７】平面維持部と粘着面３１Ａとの位置関係について説明する図である。
【発明を実施するための形態】
【０００９】
本明細書及び添付図面の記載により、少なくとも以下の事項が明らかとなる。
液体を吸収する吸収体と、前記吸収体の膣口と当接する領域の横方向外側に設けられたウイング部と、前記吸収体の前記膣口と当接する領域よりも縦方向後側の領域の前記横方向外側に設けられたヒップフラップ部と、を備える吸収性物品であって、前記吸収体は、前記縦方向に沿って形成される１対の第１ヒンジ部と、前記１対の第１ヒンジ部よりも前記横方向の外側に、前記横方向の成分を含んでそれぞれ形成される１対の第２ヒンジ部と、前記１対の第１ヒンジ部よりも前記横方向の外側に、前記縦方向の成分を含んでそれぞれ形成される１対の第３ヒンジ部と、を有し、前記第１ヒンジ部の少なくとも一部と、前記第２ヒンジ部と、前記第３ヒンジ部とが、前記吸収体の前記縦方向において、前記ウイング部の前記横方向の幅が最大となる位置と前記ヒップフラップ部の前記横方向の幅が最大となる位置との間に配置されている、ことを特徴とする吸収性物品
【００１０】
このような吸収性物品によれば、吸収性物品の使用時において吸収体に形成されている１対の第１ヒンジ部の横方向外側の領域が平面形状に維持されやすくなる。そのため、吸収体が不規則に変形することや、当該１対の第１ヒンジ部の横方向外側の領域において横方向外縁部（例えばヒップフラップ部）が内側に引っ張られることにより使用者の肌をしっかりと覆うことができなくなることが抑制される。これにより、使用者に不快感を与えにくくなる。
【００１１】
また、液体を吸収する吸収体と、前記吸収体の膣口と当接する領域の横方向外側に設けられたウイング部と、前記吸収体の前記膣口と当接する領域よりも縦方向後側の領域の前記横方向外側に設けられたヒップフラップ部と、を備える吸収性物品であって、
前記吸収体は、前記縦方向に沿って形成される１対の第１ヒンジ部と、前記１対の第１ヒンジ部よりも前記横方向外側に、前記横方向の成分を含んでそれぞれ形成される１対の第２ヒンジ部と、前記１対の第１ヒンジ部よりも前記横方向外側、かつ、前記第２ヒンジ部とは前記縦方向の異なる位置に、前記横方向の成分を含んでそれぞれ形成される１対の第３ヒンジ部と、を有し、前記第１ヒンジ部の少なくとも一部と、前記第２ヒンジ部と、前記第３ヒンジ部とが、前記吸収体の前記縦方向において、前記ウイング部の前記横方向の幅が最大となる位置と前記ヒップフラップ部の前記横方向の幅が最大となる位置との間に配置されている、ことを特徴とする吸収性物品が明らかとなる。
【００１２】
このような吸収性物品によれば、吸収性物品の使用時に、吸収体に形成されている１対の第１ヒンジ部の横方向外側の領域が平面形状に維持されやすくなるため、吸収体が不規則に変形することや、当該１対の第１ヒンジ部の横方向外側の領域の横方向外縁部（例えばヒップフラップ部）が内側に引っ張られて使用者の肌をしっかりと覆うことができなくなることが抑制される。これにより、使用者に不快感を与えにくくなる。
【００１３】
かかる吸収性物品であって、前記第１ヒンジ部の前記縦方向後側には、前記縦方向に沿って中央ヒンジ部が形成されており、前記第１ヒンジ部と、前記第２ヒンジ部と、前記第３ヒンジ部とで囲まれた内側の領域のうち、少なくとも一部は、前記第１ヒンジ部の前記縦方向後側端部の位置と、前記中央ヒンジ部の前記縦方向前側端部の位置との間に配置されている、ことが望ましい。
【００１４】
このような吸収性物品によれば、吸収性物品の着用時において、使用者の鼠径部間に挟まれることによって該吸収性物品の膣口当接領域に対して大きな圧縮力が作用したとしても、そのような力がヒップフラップ部に作用することを抑制しやすくなる。これにより、ヒップフラップ部の幅が狭くなることを抑制しやすくなる。
【００１５】
かかる吸収性物品であって、前記第１ヒンジ部と前記第２ヒンジ部とが繋がっている、ことが望ましい。
【００１６】
このような吸収性物品によれば、平面維持部の周縁部の強度が高くなることにより、吸収性物品の使用時に平面維持部に圧縮力が作用した場合でも、該平面維持部が撓みにくくなる。これにより、吸収体に形成されている１対の第１ヒンジ部の横方向外側の領域をより平面形状に維持しやすくすることができる。
【００１７】
かかる吸収性物品であって、前記吸収体で、前記第１ヒンジ部の少なくとも一部と、前記第２ヒンジ部と、前記第３ヒンジ部とで囲まれた内側の領域に、平面維持部が形成されている、ことが望ましい。
【００１８】
このような吸収性物品によれば、縦方向の成分を含むヒンジ部と横方向の成分を含むヒンジ部とによって、外周部のうちの少なくとも３方向を囲まれることによって平面形状を維持しやすい領域（平面維持部）が形成されるため、吸収性物品の使用時において吸収体に形成されている１対の第１ヒンジ部の横方向外側の領域を平面形状に保ちやすくすることができる。
【００１９】
かかる吸収性物品であって、前記平面維持部が、前記横方向に１対形成されており、１対の前記平面維持部の間に挟まれる部分には、前記横方向に伸びるヒンジ部が配置されていない、ことが望ましい。
【００２０】
このような吸収性物品によれば、吸収性物品の使用時における吸収体の良好な変形（吸収体の横方向中央部が使用者の肌側に凸となるような変形）が阻害されにくくなる。これにより、使用者に良好なフィット感を与えることができる。
【００２１】
かかる吸収性物品であって、前記平面維持部が、前記横方向に１対形成されており、１対の前記平面維持部の間に挟まれる部分における前記吸収体の剛性は、前記膣口と当接する領域中で１対の前記第１ヒンジ部の間に挟まれる部分における前記吸収体の剛性よりも低い、ことが望ましい。
【００２２】
このような吸収性物品によれば、１対の平面維持部の間に挟まれる部分において吸収体の横方向中央部が変形しやすくなる。したがって、吸収体に対して横方向の圧縮力が作用した場合に、吸収体の横方向中央部が使用者の肌側に凸となるように変形させやすくすることができる。これにより、使用者に良好なフィット感を与えることができる。
【００２３】
かかる吸収性物品であって、前記吸収体は、前記１対の第１ヒンジ部よりも前記横方向の外側に、前記横方向の成分を含んでそれぞれ形成される１対の第４ヒンジ部と、前記１対の第１ヒンジ部よりも前記横方向の外側に、前記縦方向の成分を含んでそれぞれ形成される１対の第５ヒンジ部と、を有し、前記第１ヒンジ部の少なくとも一部と、前記第４ヒンジ部と、前記第５ヒンジ部とが、前記膣口と当接する領域よりも前記縦方向の前側に配置されている、ことが望ましい。
【００２４】
このような吸収性物品によれば、膣口当接領域で発生する圧縮力の影響が吸収体の前側の領域に及ぶことを抑制しやすくなる。これにより、吸収性物品の使用者の下腹部と当接する領域の収縮が抑制され、使用者により良好なフィット感を与えることができる。
【００２５】
かかる吸収性物品であって、前記第１ヒンジ部の前記縦方向の中央部の領域における前記１対の第１ヒンジ部の横方向の間隔は、前記第１ヒンジ部の前記縦方向の端部の領域における前記１対の第１ヒンジ部の横方向の間隔よりも長い、ことが望ましい。
【００２６】
このような吸収性物品によれば、使用者の膣口と当接する領域の面積を広くとることが可能となり、吸収性物品の使用時において排血等を吸収しやすくすることができる。また、平面維持部の面積を広くとることが可能となり、吸収体に形成されている１対の第１ヒンジ部の横方向外側の領域を平面形状に維持しやすくなる。
【００２７】
かかる吸収性物品であって、前記ヒップフラップ部の前記横方向の端縁部には、１以上のくびれ部が形成されている、ことが望ましい。
【００２８】
このような吸収性物品によれば、ヒップフラップ部に収縮やよれが発生したとしても、くびれ部において力が分散されるため、ヒップフラップ部の他の領域に収縮やよれの影響が伝播するのを抑制することができる。したがって、ヒップフラップ部が広範囲に亘って収縮してしまうことを抑制しやすくなる。
【００２９】
かかる吸収性物品であって、前記吸収体を使用者の非肌側から覆うバックシートを有し、前記バックシートの前記非肌側の表面には接着剤が塗布された粘着領域が形成されており、前記第１ヒンジ部の少なくとも一部と、前記第２ヒンジ部と、前記第３ヒンジ部とによって囲まれる領域の一部が、厚さ方向について、前記粘着領域と重複する、ことが望ましい。
【００３０】
このような吸収性物品によれば、ヒンジ部によって囲まれる領域（平面維持部）の一部が粘着領域によって下着に固定されるため、圧縮力等の外力が作用した場合であっても下着の生地の剛性により平面形状を保ちやすくなる。また、使用者が身体を動かした場合などでも吸収体がその動きに追従しやすくなるので、ヒンジ部によって囲まれる領域に大きな負荷がかかることを抑制できる。
【００３１】
＝＝＝実施形態＝＝＝
＜生理用ナプキンの構成＞
本実施形態に係る吸収性物品の一例として、生理用ナプキン１について説明する。なお、以下の説明では吸収性物品の例として生理用ナプキンについて説明するが、本実施形態の吸収性物品には、所謂おりものシート（例えばパンティライナー）等も含まれており、生理用ナプキンに限定されるものではない。
【００３２】
図１は、生理用ナプキン１の構成を説明する平面図である。図２は、生理用ナプキン１の構成を説明する概略断面図である。また、以下の説明では、図１及び図２に示すように、各方向を定義する。すなわち、生理用ナプキン１の製品長手方向に沿った方向を「縦方向」とする。縦方向は「前側」と「後側」を有する。この「前側」は生理用ナプキン１の使用時において使用者の腹側となる方向であり、「後側」は生理用ナプキン１の使用時において使用者の背側となる方向である。また、縦方向と直交する方向、すなわち製品幅方向に沿った方向を「横方向」とする。また、縦方向及び横方向と直交する方向を「厚さ方向」とし、生理用ナプキン１の着用時に着用者の肌と当接する側（図２において上側）を「肌側」、その逆側（図２において下側）を「非肌側」とする。
【００３３】
生理用ナプキン１（以下、単に「ナプキン１」とも呼ぶ）は、液体を吸収する吸収体１０と、使用者の肌側から厚さ方向に吸収体１０を覆うトップシート２０と、使用者の非肌側から厚さ方向に吸収体１０を覆うバックシート３０と、吸収体１０の横方向外側に設けられたサイドフラップ５０とを有する。また、ナプキン１の肌側表面には、ヒンジ部１１０と孔部１２０とが形成されている。
【００３４】
吸収体１０は、縦方向に沿って長い縦長の部材であり、親水性繊維やパルプ等を含み、体液や排血等の液体を効率的に吸収・保持することができる。吸収体１０は、親水性繊維又は紛体をエアレイド法によって積層して形成されても良いし、親水性繊維又は紛体をエアレイド法によってシート状に成形したエアレイドシートであっても良い。
【００３５】
トップシート２０は、体液等の液体を透過させる液透過性のシート部材であり、例えば不織布によって形成される。但し、液体を透過する構造のシート部材であり、かつ、ナプキン１の使用時において使用者の肌と当接する際に安全な部材であれば不織布以外の部材が使用されていても良い。例えば、織布やメッシュシートであっても良い。トップシート２０は縦方向及び横方向において吸収体１０よりも大きく、吸収体１０の全領域を覆うことができる。また、トップシート２０と吸収体１０との厚さ方向の間には、セカンドシート２５が設けられている。セカンドシート２５は、トップシート２０と同等の部材によって構成される。
【００３６】
トップシート２０の一部は、吸収体１０の横方向外側に延出することにより、後述するサイドフラップ５０を形成する。また、図２に示されるようにトップシート２０は、吸収体１０の横方向両端部の領域と厚さ方向に重複する領域において、一旦横方向内側に折り返された後、再び横方向外側に折り返されてそのまま横方向外側に延出している。すなわち、トップシート２０は横方向両端部の領域において厚さ方向に折り重ねられた状態となっている。
【００３７】
バックシート３０は、非液透過性のシート部材であり、例えばポリエチレンやプロピレン等を主体としたフィルム、通気性の樹脂フィルム、スパンボンド、又はスパンレース等の不織布に通気性の樹脂フィルムが接合されたシートなどによって形成される。バックシート３０が非液透過性であることから、ナプキン１の使用時においてトップシート２０を透過して吸収体１０によって吸収された液体が下着等の着衣側（非肌側）に染み出すことが抑制される。バックシート３０は、トップシート２０とほぼ同一の形状であり、ナプキン１の使用時において使用者に違和感を生じさせない程度の柔軟性を有することが望ましい。
【００３８】
バックシート３０の一部は、トップシート２０と同様に吸収体１０の横方向外側に延出することにより、後述するサイドフラップ５０を形成する。また、バックシート３０の非肌側表面の横方向中央部には、ホットメルト接着剤（以下、ＨＭＡとも呼ぶ）等の接着剤が塗布された粘着面３１Ａが形成されている。同様に、粘着面３１Ａの横方向両側部（サイドフラップ５０の非肌側表面）には粘着面３１Ｂが形成されている（図２参照）。粘着面３１Ａ及び３１Ｂは、ナプキン１の使用時においてナプキン１を使用者の下着に貼付して位置がずれないようにするために形成される。なお、ナプキン１の不使用時には、粘着面３１Ａ及び３１Ｂが、後述する包装シート６０や不図示の保護シートによって覆われている。このような保護シートに覆われている状態では、粘着面３１Ａ及び３１Ｂの粘着性は発現しない。
【００３９】
サイドフラップ５０は、吸収体１０の横方向両側部から外側に延出したトップシート２０及びバックシート３０を厚さ方向に積層して互いに接合することにより形成されている（図２参照）。但し、サイドフラップ５０がトップシート２０及びバックシート３０とは異なる別の部材によって形成されているのであっても良い。また、トップシート２０とバックシート３０との厚さ方向の間には、サイドフラップ５０の強度を補強するための補強シート５５が設けられている。
【００４０】
本実施形態のサイドフラップ５０は、図１に示されるように、吸収体１０の縦方向中央よりも前側寄りに設けられた膣口当接領域から横方向の外側に延出するウイング部５１と、該膣口当接領域よりも縦方向後側の領域から横方向の外側に延出するヒップフラップ部５２とを有する。なお、「膣口当接領域」は、ナプキン１の使用時（着用時）において使用者の膣口と当接する領域である。
【００４１】
ウイング部５１は、ナプキン１の使用時に非肌側に折り曲げられ、粘着面３１Ｂが使用者の下着に貼付されることにより、使用者の股間部においてナプキン１の位置ずれを生じにくくする。
【００４２】
ヒップフラップ部５２は、ナプキン１の縦方向後側（背側）において横方向外側に延出して設けられ、ナプキン１の使用時には図１のように横方向に展開した状態となって使用者の臀部を広く覆うことができる。例えば、使用者が仰向けに寝ている状態で排血等が臀部側に回り込むような場合であっても、ヒップフラップ部５２が広範囲に亘って臀部を覆っているため、排血等がナプキン１の外側に漏出しにくくなり、使用者の下着が汚れることを抑制する。
【００４３】
また、ヒップフラップ部５２の横方向端縁部には、図１に示されるような複数のくびれ部５２ｎが設けられている。くびれ部５２ｎは、横方向外側に凸となった凸部と横方向外側に凹となった凹部とが縦方向において交互に繰り返されることによって蛇行状に形成された部位である。詳細は後述するが、ナプキン１の使用時において、吸収体１０に対して横方向内側に向かう圧縮力が作用すると、ヒップフラップ部５２が横方向内側に引っ張られて収縮したり、ヒップフラップ部５２の表面によれが発生したりするおそれがある。これに対して、ヒップフラップ部５２の横方向端縁部が蛇行状に形成されていることにより、収縮やよれが発生したとしても、当該くびれ部５２ｎにおいて力が分散され、ヒップフラップ部５２の他の領域に収縮やよれの影響が伝播するのを抑制することができる。すなわち、ヒップフラップ部５２の全体が収縮したりよれたりすることを抑制しやすくなる。
【００４４】
サイドフラップ５０（ウイング部５１、及びヒップフラップ部５２）の所定の領域には、ＨＭＡ等の接着剤によって冷感剤の粒子が接合された冷感領域ＣＲが形成されている。具体的には、図１に示されるようにサイドフラップ５０の横方向の内側端部よりも外側の領域に、横方向に所定の幅を有しつつ縦方向に伸びる帯状の領域として形成される。また、図２に示されるように、冷感領域ＣＲはトップシート２０の非肌側表面に形成されている。つまり、本実施形態では、サイドフラップ５０において積層されているトップシート２０とバックシート３０との厚さ方向の間に冷感剤が設けられている。これにより、冷感剤と使用者の肌との直接の接触が抑制されるため、使用者に過度の刺激を与えにくくなる。
【００４５】
「冷感剤」は、メントールやカンファー等の清涼剤を核として、その周囲をでんぷん等の水溶性物質によって覆われた多重カプセル構造を有する粒子である。通常時において、冷感剤の核である清涼剤は外部に露出していない。そして、冷感剤に所定量の水分（例えば使用者の汗や水蒸気）が接触すると、水溶性物質が溶解して内部の清涼剤が外部に放出され、使用者に清涼感を与えることができる。冷感剤をこのような多重カプセル構造の粒子とすることで、ナプキン１の使用時に汗による蒸れが生じたとき等に効率よく使用者に清涼感を与えることができる。特に、ナプキン１はヒップフラップ部５２の面積が大きいため、使用者の臀部を広く覆うことができる一方で、例えば就寝時など、ナプキン１を長時間使用する場合には使用者の臀部において蒸れが生じやすくなる。このような場合でも、ヒップフラップ部５２に冷感領域ＣＲを設けておくことにより、使用者に清涼感を与えて蒸れによる不快感を低減させることができる。
【００４６】
＜ヒンジ部１１０について＞
吸収体１０（及びトップシート２０）の表面にはヒンジ部１１０が形成されている。ヒンジ部１１０は概ね縦方向に沿って形成される線状の部位であり、当該ヒンジ部１１０を基点として吸収体１０が横方向に折り曲げられる。ナプキン１を使用(着用)する際には、吸収体１０を横方向に収縮させるような力が作用するが、その際、吸収体１０がヒンジ部１１０を基点として折り曲げられることにより、吸収体１０が不規則に変形したり表面に不要な皺が発生したりすることが抑制される。つまり、ヒンジ部１１０は吸収体１０の折り曲げガイド部として機能する。これにより、吸収体１０は良好な液体吸収性を維持しやすくなる。
【００４７】
ヒンジ部１１０は、膣口当接領域ヒンジ部１１１と、中央ヒンジ部１１２と、後側ヒンジ部１１３と、前側ヒンジ部１１４とを有する。膣口当接領域ヒンジ部１１１は、吸収体１０の膣口当接領域と少なくとも一部が重なるように形成され。本実施形態では、図１に示されるように、膣口当接領域を縦方向に跨ぐようにして形成されている。中央ヒンジ部１１２は、膣口当接領域ヒンジ部１１１よりも縦方向後側で、使用者の肛門付近と当接する領域に形成される。後側ヒンジ部１１３は、中央ヒンジ部１１２よりも縦方向後側で、使用者の臀部と当接する領域に形成される。これらのヒンジ部１１１〜１１３は吸収体１０の横方向の中央線を挟んで左右対称にそれぞれ１対ずつ形成されている。前側ヒンジ部１１４は、膣口当接領域ヒンジ部１１１よりも縦方向前側で、使用者の下腹部と当接する領域に形成される。
【００４８】
各ヒンジ部１１１〜１１４は、それぞれ吸収体１０（及びトップシート２０）の肌側表面にエンボス加工等によって形成された複数の圧搾溝が所定の間隔で並ぶことによって曲線状に形成されている。なお、図２の断面図では当該圧搾溝が図示されていないが、実際には吸収体の厚さ方向にエンボス加工が施されている。
【００４９】
また、１対のヒンジ部１１１〜１１３に挟まれた領域には、複数の孔部１２０が形成されている。孔部１２０は、トップシート２０及び吸収体１０を厚さ方向に貫通する孔であり、当該孔部１２０が複数形成されることにより、吸収体１０の剛性が部分的に高くなり、吸収体１０の型崩れやよれが抑制される。つまり、孔部１２０が形成されている領域では、孔部１２０が形成されていない領域と比較して吸収体１０が平面形状に保たれやすくなる。また、孔部１２０が設けられることによってナプキン１使用時の通気性が高くなり、蒸れを生じにくくする効果もある。本実施形態では、ナプキン１の使用時に吸収体１０に対して外力が作用した場合であっても、１対のヒンジ部１１０によって挟まれた領域が平面形状を維持しつつ、肌側に凸となる変形が可能となるように、孔部１２０の配置や数量が決定される。
【００５０】
図３は、膣口当接領域ヒンジ部１１１を拡大して表す図である。ヒンジ部１１１は、第１ヒンジ部１１１Ａと、第２ヒンジ部１１１Ｂと、第３ヒンジ部１１１Ｃとによって形成されている。
【００５１】
第１ヒンジ部１１１Ａは縦方向に沿って形成されている部分である。この第１ヒンジ部１１１Ａは、縦方向の中央部分において横方向外側に広がるようにカーブを描いて配置される。そのため、１対の第１ヒンジ部１１１Ａによって挟まれる部分の長さ（ヒンジの間隔）は、第１ヒンジ部１１１Ａの縦方向両端部の領域（第２ヒンジ部１１１Ｂ及び第３ヒンジ部１１１Ｃが形成される領域）におけるヒンジ間隔１１１ＷＳよりも縦方向中央部におけるヒンジ間隔１１１ＷＬの方が長くなっている（１１１ＷＬ＞１１１ＷＳ）。すなわち、１対の第１ヒンジ部１１１Ａによって挟まれる領域の面積は、第１ヒンジ部１１１Ａの縦方向中央部において大きくなっている。これにより、使用者の膣口と当接する領域の面積を広くとることが可能となり、ナプキン１の使用時において排血等を吸収しやすくすることができる。逆に、１対の第１ヒンジ部１１１Ａによって挟まれる領域の面積は、第１ヒンジ部１１１Ａの縦方向両端部において小さくなっている。これにより、後述する平面維持部の面積を広くとることが可能となる。
【００５２】
第２ヒンジ部１１１Ｂは、第１ヒンジ部１１１Ａの縦方向端部領域において横方向の外側に向かって形成されている部分である。言い換えると、第２ヒンジ部１１１Ｂは、第１ヒンジ部１１１Ａより横方向外側の領域に、横方向の成分を含むように形成されているヒンジ部である。また、第３ヒンジ部１１１Ｃは、第２ヒンジ部１１１Ｂの横方向外側端部領域において縦方向に向かって形成されている部分である。言い換えると、第３ヒンジ部１１１Ｃは、第１ヒンジ部１１１Ａより横方向外側の領域に、縦方向の成分を含むように形成されているヒンジ部である。
【００５３】
図１及び図３に示されるように、膣口当接領域ヒンジ部１１１の縦方向の端部領域では、第１ヒンジ部１１１Ａと第２ヒンジ部１１１Ｂと第３ヒンジ部１１１Ｃとによって略円弧状の曲線が形成されている。そして、第１ヒンジ部１１１Ａと第２ヒンジ部１１１Ｂと第３ヒンジ部１１１Ｃとによって囲まれた内側の領域には、図３の斜線で示されるような「平面維持部」が形成されている。本実施形態において平面維持部は、縦方向成分を含むヒンジ部と横方向成分を含むヒンジ部とによって、外周部のうちの少なくとも３方向（縦方向２箇所及び横方向１箇所、若しくは、縦方向１箇所及び横方向２箇所）を囲まれることにより、ナプキン１の使用時において吸収体１０を平面形状に保ちやすくする機能を有する。
【００５４】
この平面維持部は、吸収体１０のうち１対のヒンジ部１１０（ここでは第１ヒンジ部１１１Ａ）の横方向外側の領域に形成されている。１対の第１ヒンジ部１１１Ａの横方向外側の領域には孔部１２０が形成されておらず、１対の第１ヒンジ部１１１Ａの横方向内側の領域（孔部１２０が形成されている領域）と比較して吸収体の剛性が低くなっている。したがって、ナプキン１の使用時（着用時）に、吸収体１０を横方向内側に圧縮する力が作用すると、吸収体１０のうち１対の第１ヒンジ部１１１Ａの横方向外側の領域は圧縮力を受けて潰れやすくなる。以下、この領域を「低剛性領域」とも言う。
【００５５】
低剛性領域が潰れると、その横方向外側に設けられているサイドフラップ部５０のヒップフラップ部５２が横方向の内側に引っ張られて収縮し、ナプキン１の着用時において、使用者の臀部を十分にカバーすることができなくなるおそれがある。さらに、ヒップフラップ部５２が収縮することによって冷感領域ＣＲも収縮してしまい、使用者に清涼感を与えにくくなるおそれがある。また、ナプキン１の使用時には、横方向内側に向かう圧縮力によって、吸収体１０を使用者の肌側に凸となるように緩やかに変形させ（後述する図４Ｂ参照）、使用者に良好なフィット感を与えることが理想的である。しかし、低剛性領域が潰れることにより、吸収体１０まで圧縮力が作用しなかったり、逆に吸収体１０に不均一な圧縮力が作用したりすることにより、吸収体１０を理想的に変形させることができなくなるおそれがある。
【００５６】
これに対して本実施形態のナプキン１では、吸収体１０の低剛性領域中の所定の位置に平面維持部を設けて当該領域を潰れにくくしている。本実施形態では、ウイング部５１の横方向の幅（長さ）が最大となる部分の縦方向位置５１ＷＬと、ヒップフラップ部５２の横方向の幅（長さ）が最大となる部分の縦方向位置５２ＷＬとの間に平面維持部が配置されている（図１参照）。言い換えると、第１ヒンジ部１１１Ａの少なくとも一部と第２ヒンジ部１１１Ｂと第３ヒンジ部１１１Ｃとが、縦方向において５１ＷＬ及び５２ＷＬの間に配置されている。
【００５７】
５１ＷＬと５２ＷＬとの間の低剛性領域中に平面維持部が形成されることにより、当該平面維持部の横方向外側に配置されているサイドフラップ５０（ヒップフラップ部５２）を横方向内側に引っ張る力が作用しにくくなるため、ヒップフラップ部５２が収縮することを効果的に抑制することができる。
【００５８】
図４Ａ及び図４Ｂは、本実施形態のナプキン１の使用時に吸収体１０に対して横方向内側に向かう圧縮力が作用したときの様子について具体的に説明する図である。図４Ａは、吸収体１０に平面維持部が設けられていない場合について表す比較例の断面図である。図４Ｂは、吸収体１０に平面維持部が設けられている場合について表す本実施形態のナプキン１の断面図である
【００５９】
図４Ａで、通常状態の吸収体１０に対して横方向内側に向かう圧縮力が作用すると、まず、吸収体１０の横方向両側部の低剛性領域を横方向内側に収縮させる力が働く。比較例では、低剛性領域に平面維持部が形成されていないので、吸収体１０の横方向両側部（すなわち低剛性領域）がそのまま横方向に潰れて吸収体１０が収縮する。そして、低剛性領域の収縮に伴ってサイドフラップ５０（ヒップフラップ部５２）が横方向内側に引っ張られて全体の幅（横方向の長さ）が狭くなるため、ヒップフラップ部５２が使用者の身体を広く覆うことができなくなる。また、低剛性領域が収縮することで当該領域において圧縮力が吸収されると、吸収体１０の横方向中央部の領域には圧縮力が伝達しにくくなるため、吸収体１０の横方向中央部は変形しにくくなる場合がある。
【００６０】
一方、図４Ｂのように、低剛性領域中に平面維持部が形成されていれば、圧縮力が作用したとしても低剛性領域が潰れにくくなるため、サイドフラップ５０（ヒップフラップ部５２）が横方向内側に引っ張られにくく、全体の幅（横方向の長さ）が狭くなることが抑制される。したがって、ヒップフラップ部５２は使用者の身体を広く覆うことができる。また、横方向内側に向かう圧縮力は平面維持部を介して吸収体１０の横方向中央部の領域に伝達される。これにより、吸収体１０の横方向中央部が肌側に凸となるように変形し、使用者に良好なフィット感を与えやすくなる。
【００６１】
なお、上述の横方向内側に向かう圧縮力は、膣口当接領域において特に大きくなりやすい。ナプキン１の使用時において膣口当接領域は使用者の鼠径部間に挟まれる状態となるため、当該領域で大きな力が発生するからである。このような大きな圧縮力が吸収体１０に作用すると、ヒップフラップ部５２の収縮も大きくなるおそれがある。したがって、ヒップフラップ部５２の収縮を抑制するためには、膣口当接領域で発生する大きな圧縮力の影響をヒップフラップ部５２に伝達させないことが重要となる。そのため、平面維持部は、縦方向でヒップフラップ部５２が形成されている領域のうち、なるべく膣口当接領域に近い位置に設けられることが望ましい。
【００６２】
本実施形態では、平面維持部のうち少なくとも一部の領域が、第１ヒンジ部１１１Ａの縦方向後側端部と、中央ヒンジ部１１２の縦方向前側端部との間に配置されている。すなわち、ナプキン１の使用時に使用者の膣口と当接する領域と使用者の肛門と当接する領域との間の領域と一部が重複するように平面維持部が設けられている。この領域は、図１に示されるように、ヒップフラップ部５２が形成されている領域のうち縦方向において膣口当接領域により近い領域である。したがって、当該領域に平面維持部を設けることによって、膣口当接領域で発生する大きな圧縮力がヒップフラップ部５２に作用することを抑制しやすくなる。つまり、ナプキン１の使用時において、ヒップフラップ部５２の幅が狭くなってしまうことを効果的に抑制することが可能となる。
【００６３】
また、図３に示されるように、平面維持部の外周を構成する第１ヒンジ部１１１Ａと第２ヒンジ部１１１Ｂと第３ヒンジ部１１１Ｃとはそれぞれ繋がっていることが望ましい。例えば、第１ヒンジ部１１１Ａと第２ヒンジ部１１１Ｂとが繋がっていないとした場合、当該第１ヒンジ部１１１Ａと第２ヒンジ部１１１Ｂとの間に隙間が形成されることになる。つまり、平面維持部の周縁に切れ目が形成されることになる。この状態で、上述したような横方向内側に向かう圧縮力が平面維持部に作用すると、当該周縁の切れ目部分で平面維持部が撓みやすくなり、吸収体１０の低剛性領域を平面形状に維持しにくくなるからである。これに対して、縦方向及び横方向に伸びるヒンジ部同士がそれぞれ繋がっていれば、平面維持部の周縁部の強度が高くなり、吸収体１０の低剛性領域で平面形状を維持しやすくすることができる。したがって、少なくとも、縦方向に伸びる第１ヒンジ部１１１Ａと横方向に伸びる第２ヒンジ部１１１Ｂとはそれぞれ繋がっていることが望ましい。
【００６４】
また、吸収体１０で、１対のヒンジ部１１０（膣口当接領域ヒンジ部１１１）にそれぞれ形成されている平面維持部の間の領域には、横方向に伸びるヒンジ部は配置されていない。図４Ｂで説明したように、１対の平面維持部の間に挟まれる領域では、ナプキン１の使用時において吸収体１０の横方向中央部を肌側に凸となるように変形させることが理想的である。仮に、１対の平面維持部の間を横断するようにヒンジ部が形成されていたとすると、吸収体１０の変形（肌側に凸となるような変形）が阻害され、ナプキン１着用時の良好なフィット感が得られなくなるおそれがある。そこで、本実施形態では、少なくとも１対の平面維持部の横方向の間の領域においてヒンジ部が配置されないようにすることで、吸収体１０の良好な変形が阻害されることを抑制している。
【００６５】
また、膣口当接領域ヒンジ部１１１において、平面維持部は第１ヒンジ部１１１Ａの縦方向下側端部に形成されていたが、図３に示されるように、第１ヒンジ部１１１Ａの縦方向上側端部に形成されるようにしても良い。すなわち、第４ヒンジ部１１１Ｄ及び第５ヒンジ部１１１Ｅが、膣口当接領域よりも縦方向前側に配置されていても良い。ここで、第４ヒンジ部１１１Ｄは、第２ヒンジ部１１１Ｂに相当するヒンジであり、第１ヒンジ部１１１Ａより横方向外側の領域に、横方向の成分を含むように形成されている。また、第５ヒンジ部１１１Ｅは、第３ヒンジ部１１１Ｃに相当するヒンジであり、第４ヒンジ部１１１Ｄの横方向外側端部領域において縦方向に向かって形成されている。
【００６６】
上述の通りナプキン１の使用時には、膣口当接領域において大きな圧縮力（横方向内側に向かう力）が発生するため、膣口当接領域の縦方向前側の位置にも平面維持部を設けておくことにより、膣口当接領域で発生する圧縮力の影響がナプキン１の前側の領域、つまり、前側ヒンジ部１１４が配置されている領域に及ばないようにすることができる。これにより、前側ヒンジ部１１４が配置された領域（すなわち、使用者の下腹部と当接する領域）の収縮が抑制され、当該領域に皺が発生する等の問題が生じにくくなる。これにより、ナプキン１のより良好なフィット感を実現することができる。
【００６７】
＜平面維持部の変形例＞
第１ヒンジ部１１１Ａと第２ヒンジ部１１１Ｂと第３ヒンジ部１１１Ｃとによって円弧状の平面維持部が形成される例について説明したが、平面維持部の形状を以下のように変形しても良い。図５Ａ〜図５Ｃは、平面維持部の形状の変形例について説明する図である。
【００６８】
図５Ａは、第１ヒンジ部１１１Ａと第２ヒンジ部１１１Ｂと第３ヒンジ部１１１Ｃとによって矩形状の平面維持部が形成される例について表している。この例では、第２ヒンジ部１１１Ｂが横方向に伸びる直線状に形成され、第３ヒンジ部１１１Ｃが縦方向に伸びる直線状に形成されている。そして、第１ヒンジ部１１１Ａの一部と第２ヒンジ部１１１Ｂと第３ヒンジ部１１１Ｃとによって囲まれた内側の領域に、平面維持部が形成される。
【００６９】
図５Ｂは、平面維持部がヒンジ部から離れて形成される例について表している。この例では、第１ヒンジ部１１１Ａが膣口当接領域ヒンジ部１１１とは異なるヒンジ部として、膣口当接領域ヒンジ部１１１の横方向外側に形成されている。そして、当該第１ヒンジ部１１１Ａと第２ヒンジ部１１１Ｂと第３ヒンジ部１１１Ｃとによって囲まれた内側の領域に、平面維持部が形成される。
【００７０】
図５Ｃは、第３ヒンジ部１１１Ｃが横方向に伸びるヒンジである場合に形成される平面維持部の例について表している。この例では、第３ヒンジ部１１１Ｃが、第１ヒンジ部１１１Ａよりも横方向外側、かつ、第２ヒンジ部１１１Ｂとは縦横方向の異なる位置に、横方向の成分を含んで形成されている。そして、第１ヒンジ部１１１Ａの一部と第２ヒンジ部１１１Ｂと第３ヒンジ部１１１Ｃとによって囲まれた内側の領域に、平面維持部が形成される。
【００７１】
平面維持領域が図５Ａ〜図５Ｃの変形例で示されるような形状であっても、吸収体１０の低合成領域を平面形状に維持しやすくすることができる。すなわち、吸収体１０に対して横方向内側に向かう圧縮力が作用した場合であっても、当該平面維持領域が潰れにくいため、サイドフラップ５０が内側に引っ張られて収縮してしまうことが抑制される。また、吸収体１０の横方向中央部を良好に変形（肌側に凸となるような変形）させやすくなる。
【００７２】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００７３】
＜孔部１２０について＞
上述の実施形態では、１対のヒンジ部１１０の間に挟まれる領域に複数の孔部１２０が形成されていたが、１対のヒンジ部１１０の間に挟まれる領域において、孔部１２０が形成される領域と形成されない領域とが設けられるのであっても良い。孔部１２０が形成されない領域では、孔部１２０が形成される領域と比較して吸収体１０の剛性が低くなるため、孔部１２０の配置や数を変更することによって、吸収体１０の剛性を部分的に調整することができる。
【００７４】
図６は、ナプキン１で孔部１２０の配置を変形した場合の例について示す図である。同図６において、１対の膣口当接領域ヒンジ部１１１にそれぞれ形成されている平面維持部の間に挟まれる領域の少なくとも一部には、孔部１２０が形成されていない。具体的には、１対の平面維持部の間に挟まれる領域のうち、図６の破線で囲まれた横方向中央部分の空白領域１２０ｂには孔部１２０が形成されていない。一方、膣口当接領域においては、１対の膣口当接領域ヒンジ部１１１の間に挟まれる領域に孔部１２０が形成されている。したがって、吸収体１０の膣口当接領域において１対の膣口当接領域ヒンジ部１１１の間に挟まれる部分の剛性は、吸収体１０の１対の平面維持部の間に挟まれる部分（空白領域１２０ｂの部分）の剛性よりも低くなっている。吸収体１０の剛性が低い領域では、該吸収体１０に対して外力が作用した場合に変形が生じやすくなるため、図６の例では、１対の平面維持部の間に挟まれる部分において吸収体１０の横方向中央部が変形しやすくなる。これにより、ナプキン１の使用時に吸収体１０に対して横方向の圧縮力が作用した場合に、吸収体１０を図４Ｂのごとく凸状に変形させやすくすることができる。
なお、空白領域１２０ｂにおける孔部１２０の配置や数を変更するのではなく、吸収体１０の目付量を変更することによって、吸収体１０の空白領域１２０ｂにおける剛性が低くなるようにしても良い。
【００７５】
＜粘着面３１Ａについて＞
上述の実施形態では、バックシート３０の非肌側の面に粘着面３１Ａが形成されることについて説明されていたが、粘着面３１Ａが形成される位置と平面維持部が形成される位置とを調整することで、吸収体１０を平面形状に保ちやすくすることができる。
【００７６】
図７は、平面維持部と粘着面３１Ａとの位置関係について説明する図である。図７に示されるように、本実施形態では、平面維持部の一部と粘着面３１Ａとが厚さ方向において重複する領域を有する。図７の黒塗り部が、粘着面３１Ａと平面維持部との重複領域である。当該重複領域はナプキン１の使用時に使用者の下着に貼付されて固定される領域であるため、圧縮力等の外力が作用した場合であっても下着の生地の剛性により平面形状を保ちやすくなる。また、平面維持部の全体ではなく一部の領域について下着との位置関係がずれにくくなるため、使用者が身体を動かした場合などでもその動きに追従しやすくなり、平面維持部に大きな負荷がかかることを抑制することができる。
【符号の説明】
【００７７】
１  生理用ナプキン（ナプキン）、
１０  吸収体、
２０  トップシート、
２５  セカンドシート、
３０  バックシート、３１Ａ  粘着面、３１Ｂ  粘着面、
５０  サイドフラップ、
５１  ウイング部、５１ＷＬ  縦方向位置、
５２  ヒップフラップ部、５２ｎ  くびれ部、５２ＷＬ  縦方向位置、
５５  補強シート、
６０  包装シート、６１  固定テープ、
１１０  ヒンジ部、
１１１  膣口当接領域ヒンジ部、
１１１Ａ  第１ヒンジ部、１１１Ｂ  第２ヒンジ部、１１１Ｃ  第３ヒンジ部、
１１１Ｄ  第４ヒンジ部、１１１Ｅ  第５ヒンジ部、
１１１ＷＬ  ヒンジ間隔、１１１ＷＳ  ヒンジ間隔、
１１２  中央ヒンジ部、
１１３  後側ヒンジ部、
１１４  前側ヒンジ部、
１２０  孔部、１２０ｂ  空白領域、
ＣＲ  冷感領域
【図１】
0006461597.tif 000002
【図２】
0006461597.tif 000003
【図３】
0006461597.tif 000004
【図４】
0006461597.tif 000005
【図５】
0006461597.tif 000006
【図６】
0006461597.tif 000007
【図７】
0006461597.tif 000008